(57)【要約】  【課題】特定の目標点以外では、目的音声が明瞭に聞こえないようにした拡声装置を提供する。  【解決手段】拡声エリアに向けて、スピーカ２０−１〜ｎを２次元または３次元に配置する。呼び出しアナウンス等の目的音声を、呼び出したい人がいる場所である目標点でタイミングが一致するように、各スピーカの放音タイミングを合わせて放音する。これにより、目標点ではタイミングが一致して音圧レベルが高く明瞭な音声を聞き取ることができる。他の場所では、各スピーカから聞こえてくる音声のタイミングがずれて明瞭度が低下し、その内容が聞き取れない。また、さらに各スピーカからそれぞれ異なるランダム信号放音することにより、目標点以外でのＳ／Ｎ比を低下させる。【選択図】  図１
2008245203.tif 000002
【特許請求の範囲】
【請求項１】
拡声エリア内または近傍の複数地点に配置された複数のスピーカと、各スピーカに同じ音声信号を供給する拡声部と、を備えた拡声装置であって、
前記拡声部は、前記複数のスピーカの各々に前記目的音声信号を供給するタイミングをそれぞれ独立した遅延時間で遅延させる遅延部を有し、特定の目標点で前記目的音声信号の音波の到達タイミングが一致するように、前記複数のスピーカの各々に供給する前記目的音声信号を遅延させる拡声装置。
【請求項２】
前記各拡声部は、前記各スピーカに、それぞれ相関のない異なる信号をさらに供給する請求項１に記載の拡声装置。
【請求項３】
前記それぞれ相関のない異なる信号は、それぞれ異なるランダム信号である請求項２に記載の拡声装置。
【請求項４】
前記各拡声部は、前記各スピーカに、同じ音声信号であるマスク音声信号をさらに供給する請求項１に記載の拡声装置。
【請求項５】
前記目標点のみで前記マスク音声信号の信号レベルが極小値となり、前記目標点以外では前記マスク音声信号の信号レベルが所定値以上となるように、前記各スピーカに供給する前記マスク音声信号を処理する処理手段を備えた請求項４に記載の拡声装置。
【請求項６】
前記処理手段は、デジタルフィルタを含む請求項５に記載の拡声装置。
【請求項７】
複数の目標点に対応して前記遅延時間を記憶する遅延時間記憶部を備え、前記各拡声部は、目標点が指定されたとき、この指定された目標点に対応する遅延時間で前記目的音声信号を遅延させる請求項１乃至請求項３のいずれかに記載の拡声装置。
【請求項８】
複数の目標点に対応して複数の前記遅延時間を記憶する遅延時間記憶部、および、複数の目標点に対応して複数の前記フィルタ係数を記憶するフィルタ係数記憶部を備え、
目標点が指定されたとき、
前記各拡声部は、この指定された目標点に対応する遅延時間で前記目的音声信号を遅延し、
前記デジタルフィルタは、この指定された目標点に対応するフィルタ係数でマスク音声信号をフィルタリングする
請求項６に記載の拡声装置。
【請求項９】
請求項１に記載の拡声装置の遅延時間を決定する方法であって、
前記目標点にマイクを設置するとともに、
前記マイクが収音した音声信号を入力し、前記複数のスピーカの各々に対応する遅延時間を、前記マイクが収音した音声信号の信号レベルが最大値となるように適応演算して、前記遅延部に設定する演算部を設け、
前記複数のスピーカに音声信号を供給し、
この音声信号を供給した結果、前記演算部が演算した遅延時間を、前記目標点に対応する前記遅延部の遅延時間とする拡声装置の遅延時間決定方法。
【請求項１０】
請求項６に記載の拡声装置のフィルタ係数を決定する方法であって、
前記拡声エリア内の前記目標点を含む複数地点にそれぞれマイクを設置するとともに、
前記複数のマイクが収音した音声信号を入力し、前記目標点に設置されたマイクが収音した音声信号の信号レベルが極小値となり、前記目標点以外の地点に設置されたマイクが収音した音声信号の信号レベルが所定値以上となるように、前記フィルタ係数を適応アルゴリズムで演算して、前記デジタルフィルタに設定する演算部を設け、
前記複数のスピーカに音声信号を供給し、
この音声信号を供給した結果、前記演算部が演算したフィルタ係数を、前記目標点に対応する前記デジタルフィルタのフィルタ係数とする拡声装置のフィルタ係数決定方法。
【発明の詳細な説明】
【技術分野】
【０００１】
この発明は、所定の拡声エリアに目的の音声信号を拡声して放音する拡声装置、拡声装置の遅延時間決定方法および拡声装置のフィルタ係数決定方法に関する。
【背景技術】
【０００２】
病院のロビー等の多人数が集まる公衆の場所に音声を放音する装置が実用化されており、その公衆の場所のうち特定の方向に向けて音声をビーム状に放音するためのアレイ型のスピーカ装置も提案されている（たとえば特許文献１）。
【０００３】
【特許文献１】特開２００５−１７３１３７号公報
【発明の開示】
【発明が解決しようとする課題】
【０００４】
病院のロビーにおいて拡声出力される音声は、たとえば患者の診察のための呼び出し等であるため、個人情報保護の観点からロビー全体に聞こえてしまうことは好ましくない。
【０００５】
上記のように、音声を一方向に集中してビーム状に放音するアレイスピーカ型の拡声装置も実用化されているが、このビーム状に放音される音声は、一点だけで明瞭に聞こえるものではなく、その放音ビーム方向全体で明瞭に聞こえるものであり、また、病院のロビー等全体が静かな場所であれば、ビーム状に放音してもその音声がエリア全体で明瞭に聞こえてしまうという問題点があった。
【０００６】
この発明は、特定の目標点以外では、目的音声が明瞭に聞こえないようにした拡声装置、拡声装置の遅延時間決定方法および拡声装置のフィルタ係数決定方法を提供することを目的とする。
【課題を解決するための手段】
【０００７】
請求項１の発明は、拡声エリア内または近傍の複数地点に配置された複数のスピーカと、各スピーカに同じ音声信号を供給する拡声部と、を備えた拡声装置であって、前記拡声部は、前記複数のスピーカの各々に前記目的音声信号を供給するタイミングをそれぞれ独立した遅延時間で遅延させる遅延部を有し、特定の目標点で前記目的音声信号の音波の到達タイミングが一致するように、前記複数のスピーカの各々に供給する前記目的音声信号を遅延させることを特徴とする。
【０００８】
この発明では、目標点で目的音声信号の音波の到達タイミングが一致するように、複数のスピーカの各々に供給タイミングが遅延される。これにより、目標点では、各スピーカから到来する目的音声信号の音波のタイミングが一致するため、目的の音声が信号レベルが高く明瞭に聞こえ、目標点以外の地点では、各スピーカから到来する目的音声信号の音波のタイミングがずれるため、信号レベルが高くならないうえにずれて聞こえるため明瞭度が低下し、音声の内容が聞き取りづらくなる。これにより、目標点のみで目的の音声を高ゲイン・高明瞭度で聞かせることができる。
【０００９】
請求項２の発明は、請求項１の発明において、前記各拡声部が、前記各スピーカに、それぞれ相関のない異なる信号をさらに供給することを特徴とする。また、請求項３の発明は、請求項２の発明において、前記それぞれ相関のない異なる信号として、それぞれ異なるランダム信号を用いることを特徴とする。
【００１０】
それぞれ相関のない信号は、それらを合成しても、位相が一致して振幅が大きくなったり、位相がずれて振幅が小さくなったりすることがない。そこで、このようなそれぞれ相関のない信号を各スピーカから出力することにより、拡声エリア全体に場所による信号レベルの変動が小さいほぼ一定レベルの定常音を流すことができ、これをマスク音声として目標点以外の地点での目的音声信号の明瞭度を低下させることができる。なお、複数の信号間の無相関性はランダム信号が最も高い。
【００１１】
請求項４の発明は、請求項１の発明において、前記各拡声部が、前記各スピーカに、同じ音声信号であるマスク音声信号をさらに供給することを特徴とする。また、請求項５の発明は、請求項４の発明において、前記目標点のみで前記マスク音声信号の信号レベルが極小値となり、前記目標点以外では前記マスク音声信号の信号レベルが所定値以上となるように、前記各スピーカに供給する前記マスク音声信号を処理する処理手段をさらに備えたことを特徴とする。請求項６の発明は、請求項５の発明において、前記処理手段が、デジタルフィルタを含むことを特徴とする。
【００１２】
マスク音声信号としてそれぞれ相関のない信号を用いることもできるが、それぞれ相関のない音声は、聴取者にとって耳障りな場合が多い。そこで、この発明では、各スピーカから同じ音声信号を流すようにした。同じ音声信号としては、たとえば波の音などの環境音を用いればよく、これにより、目的音声信号をマスクするためのマスク音声信号が拡声エリア全体に所定レベルで流れていても、聴取者が耳障りに感じることがなくなる。
【００１３】
また、同じ音声信号は完全な相関性を有するため、各スピーカから放音される音声のタイミングや周波数特性を調整することにより、特定の地点（目標点）の信号レベルを他の地点に比べて小さく（極小値）に制御し、且つ、それ以外の地点の信号レベルをマスク音声として機能する程度の信号レベルである所定値に制御することができる。これにより、拡声エリア全体に所定の信号レベルでマスク音声を流しつつ、目標点におけるマスク音声の信号レベルを他の地点の信号レベルよりも低下させて目的音声をより聞き取り易くすることができる。
【００１４】
請求項７の発明は、請求項１〜３の発明において、複数の目標点に対応して前記遅延時間を記憶する遅延時間記憶部を備え、前記各拡声部が、目標点が指定されたとき、この指定された目標点に対応する遅延時間で前記目的音声信号を遅延させることを特徴とする。
【００１５】
また、請求項８の発明は、請求項６の発明において、複数の目標点に対応して複数の前記遅延時間を記憶する遅延時間記憶部、および、複数の目標点に対応して複数の前記フィルタ係数を記憶するフィルタ係数記憶部を備え、目標点が指定されたとき、前記各拡声部は、この指定された目標点に対応する遅延時間で前記目的音声信号を遅延し、前記デジタルフィルタは、この指定された目標点に対応するフィルタ係数でマスク音声信号をフィルタリングすることを特徴とする。
【００１６】
これにより、目標点が移動する場合や目標点が順次切り換えられる場合でも、その移動または切り換えられた目標点に対して的確に明瞭度の高い目的音声信号を到達させることができるとともに、その移動または切り換えられた目標点におけるマスク音声信号のレベルを極小値にすることができる。
【００１７】
請求項９の発明は、請求項１に記載の拡声装置の遅延時間を決定する方法であって、前記目標点にマイクを設置するとともに、前記マイクが収音した音声信号を入力し、前記複数のスピーカの各々に対応する遅延時間を、前記マイクが収音した音声信号の信号レベルが最大値となるように適応演算して、前記遅延部に設定する演算部を設け、前記複数のスピーカに音声信号を供給し、この音声信号を供給した結果、前記演算部が演算した遅延時間を、前記目標点に対応する前記遅延部の遅延時間とすることを特徴とする。
【００１８】
請求項１０の発明は、請求項６に記載の拡声装置のフィルタ係数を決定する方法であって、前記拡声エリア内の前記目標点を含む複数地点にそれぞれマイクを設置するとともに、前記複数のマイクが収音した音声信号を入力し、前記目標点に設置されたマイクが収音した音声信号の信号レベルが極小値となり、前記目標点以外の地点に設置されたマイクが収音した音声信号の信号レベルが所定値以上となるように、前記フィルタ係数を適応アルゴリズムで演算して、前記デジタルフィルタに設定する演算部を設け、前記複数のスピーカに音声信号を供給し、この音声信号を供給した結果、前記演算部が演算したフィルタ係数を、前記目標点に対応する前記デジタルフィルタのフィルタ係数とすることを特徴とする。
【発明の効果】
【００１９】
この発明によれば、目的の音声信号（目的音声信号）が、目標点のみでタイミングが一致するように２次元または３次元配置されたスピーカから放音されるため、目標点では位相が一致して明瞭に聞き取ることができるとともに、目標点以外では位相・タイミングがずれて明瞭度が低下し、聞き取ることができない。これにより、目的音声信号を目標点のみで聞き取らせることができる。
【００２０】
また、この発明では、ランダム信号やマスク音声信号で拡声エリア全体を充たすことにより、目的音声信号のタイミングが一致して音圧レベルが高くなっている目標点以外のエリアでは、上記ランダム信号やマスク音声信号に対して目的音声信号のレベルが低下するため、すなわちＳ／Ｎ比が低下するため、目標点以外で目的音声信号をより聞き取り難くすることができる。
【発明を実施するための最良の形態】
【００２１】
図面を参照してこの発明の実施形態について説明する。  
図１は、この発明の第１の実施形態である拡声装置のブロック図である。また、図２は、同拡声装置のスピーカの配置例を示す図である。
【００２２】
図２に示すように、この拡声装置では、各スピーカ２０−１〜ｎは、アレイスピーカのようにライン状ではなく、病院のロビー等の拡声した音声を到達させたいエリア（以下、拡声エリアという。）に広く２次元または３次元に配置されている。各スピーカ２０−１〜ｎは、どのように配置されてもどの方向に向けて設置されてもよいが、拡声エリア７の周囲に配置され、拡声エリア７の中央に向けて設置されることが好ましい。また、スピーカ２０−１〜ｎは、天井に埋め込まれていてもよい。
【００２３】
図１において、各スピーカ２０−１〜ｎには、それぞれ拡声装置１の拡声ユニット１０−１〜ｎが接続されている。各拡声ユニット１０は、ＦＩＲフィルタ１１、フィルタ係数テーブル１２、ランダムノイズ発生部１３、加算器１４および出力アンプ１５を有している。
【００２４】
ＦＩＲフィルタ１１には、目的音声信号入力部２から目的音声信号が入力される。目的音声信号とは、病院の呼び出しアナウンス等の対象者に聴かせたい音声信号である。また、フィルタ係数テーブル１２には、目標点指定信号入力部３から目標点指定信号が入力される。フィルタ係数テーブル１２は、入力された目標点指定信号に基づき、その目標点に対応するフィルタ係数をＦＩＲフィルタ１１にセットする。
【００２５】
この目標点指定信号に基づくフィルタ係数のＦＩＲフィルタ１１へのセットは、全ての拡声ユニット１０−１〜ｎで行われる。各拡声ユニット１０−１〜ｎが目的音声信号をＦＩＲフィルタ１１でフィルタリングしてスピーカ２０−１〜ｎに出力することにより、スピーカ２０−１〜ｎから放音された目的音声は、目標点指定信号で指定された目標点でタイミングが揃うとともに、全ての周波数成分の位相が揃うため周波数特性がフラットになり、その目標点に居る利用者に明瞭に目的音声を聴かせることができる。
【００２６】
また、目標点以外の場所では、各スピーカ２０−１〜ｎから放音された音声信号が、位相（タイミング）がずれて到達するため、合成された音声の明瞭度が低く、その内容を聞き取ることができない。なお、目標点以外の場所タイミングがずれた信号が合成されるため周波数特性を評価することはできない。
【００２７】
また、スピーカ２０−１〜ｎがアレイ状（１次元）でなく、２次元または３次元配置されているため、各スピーカ２０−１〜ｎから放音された音声信号のタイミングが一致して明瞭度の高い音声が合成される場所は、点状の狭い領域となる（アレイ状では線状の領域となる）。これにより、この点状の狭い領域のみに内容が理解できるような明瞭な音声を到達させ、それ以外の領域には、内容が理解できないような明瞭度の低い音声を到達させることができる。
【００２８】
なお、各スピーカ２０−１〜ｎから目標点に到達する音声のタイミングを一致させるのみであれば（周波数特性を制御しないのであれば）、ＦＩＲフィルタ１１に代えて遅延回路を設ければよい。この場合フィルタ係数テーブル１２に代えて遅延時間テーブルを設ける。
【００２９】
また、この実施形態では、各拡声ユニット１０−１〜ｎにおいて、ＦＩＲフィルタ１１を通過した目的音声信号にランダムノイズを加算している。ランダムノイズはランダムノイズ発生部１３が発生し、信号の加算は加算器１４が行う。
【００３０】
ランダムノイズは、各拡声ユニット１０−１〜ｎにおいて、各スピーカ２０−１〜ｎ別に独立して発生しているため、それぞれのスピーカ２０−１〜ｎから入力されるランダムノイズには全く相関性がなく、振幅のＲＭＳ値は、同音量で加算されたと仮定した場合は√ｎ倍になる。たとえばスピーカの数を８個とすると√８倍となる。一方、目的音声は、全てのスピーカ２０−１〜ｎから同じ音声が放音されているため、完全に位相が一致すると振幅は音圧比はｎ倍となり、スピーカの数を８個とすると８倍となる。このように、ｎ（＞１）個のスピーカから目標点で位相が一致する目的音声信号とランダムノイズを出力すると、２０Ｌｏｇ（ｎ／√ｎ）＝２０Ｌｏｇ（√ｎ）だけ、スピーカが１個のときに対してＳ／Ｎ比を向上させることができる。すなわち、スピーカが８個であれば、２０Ｌｏｇ（√８）＝１０Ｌｏｇ８≒９となり、Ｓ／Ｎ比を９ｄＢ向上させることができる。
【００３１】
図１のフィルタ係数テーブル１２には、複数の目標点８に対応するフィルタ係数が記憶されるが、このフィルタ係数は図３に示す方式で測定される。スピーカ２０−１〜ｎを、図２に示すように、図１の拡声装置を稼働させるときと同じ配置で設置する。そして、マイク５を目標点８に設置する。各拡声ユニット１０−１〜ｎにおいては、ＦＩＲフィルタ１１に代えてアクティブフィルタ１８を接続し、マイク５の入力を増幅する入力アンプ１６、入力アンプ１６から入力された音声信号とスピーカ２０に供給される音声信号との差分に基づいてアクティブフィルタ１８のフィルタ係数を演算する演算部１７を設ける。すなわち、演算部１７とアクティブフィルタ１８で適応フィルタを構成する。この状態で目的音声信号入力部２から目的音声信号を入力する。このときの目的音声信号は、フィルタ係数を決定するための音声信号であるため、一定時間持続する音声信号であればどのような音声信号でもよい。なお、この測定時にはランダムノイズ発生部１３は、動作を停止させランダムノイズを発生しないようにする。目的音声信号の入力により、各スピーカ２０−１〜ｎから一定時間目的音声が放音され、その音声が目標点８に設置されたマイク５から収音されると、各収音ユニット１０−１〜ｎにおいて、演算部１７によって、その収音した音声信号とアクティブフィルタ１８を通過してスピーカ２０に供給される音声信号との差分に基づくフィルタ係数が演算される。この、各拡声ユニット１０−１〜ｎの演算部１７で演算されたフィルタ係数が、そのときの目標点８に対応する各スピーカ２０−１〜ｎのフィルタ係数である。このフィルタ係数を各拡声ユニット１０−１〜ｎのフィルタ係数テーブル１２に登録する。
【００３２】
以上の処理を複数の目標点８について実行し、演算されたフィルタ係数をそのときの目標点８の位置と対応づけてフィルタ係数テーブル１２に登録しておく。これにより、図１の構成において、目標点指定情報入力部３から目標点指定情報が入力されたとき、その目標点指定情報に対応するフィルタ係数が、フィルタ係数テーブル１２から読み出されてＦＩＲフィルタ１１に設定される。
【００３３】
なお、この実施形態では、各拡声ユニット１０−１〜ｎにランダムノイズ発生部１３を設け、各スピーカ２０−１〜ｎから目的音声に加えてランダムノイズを放音するようにしているが、目的音声は、タイミングずれにより目標点８以外での明瞭度が低下するため、ランダムノイズの放音およびランダムノイズ発生部１３の構成は必須ではない。
【００３４】
<<第２の実施形態>>
上記実施形態では、マスク音声としてランダムノイズを出力したが、周期性のある音声を出力するようにしてもよい。  
図４〜図６を参照して、この発明の第２の実施形態について説明する。この実施形態では、拡声エリアに対して、マスク音声としてランダムノイズに代えて、周期性のある音声を出力する。
【００３５】
すなわち、上記第１の実施形態では、各スピーカ２０−１〜ｎから目的音声以外にランダムノイズを放音して、目標点８以外で目的音声をマスクするようにしている。この構成では、拡声エリア７全体が、マスク音であるランダムノイズで充たされるため、必ずしも快適とは言えなかった。また、目的音声は、同期加算による合成によって目標点８における音圧レベルが上昇することにより、目標点８でのＳ／Ｎ比が向上しているが、目標点８でランダムノイズのレベルが低下しているわけではない。
【００３６】
そこで、この第２の実施形態では、マスク音声としてランダムノイズではない周期性のある音声信号を用い、放音エリア７が、ランダムノイズでない（快適な）マスク音声で充たされるようにしている。目標点８では、第１の実施形態と同様に、各スピーカ２０−１〜ｎから放音された目的音声が重畳するように合成されて音圧レベルが上昇する。さらに、マスク音声が周期性のある音声信号であるため、目標点で相殺されるようなタイミング、音量で各スピーカ２０−１〜ｎからマスク音声を出力することにより、目標点でマスク音声の音圧レベルを低下させ、目的音声をさらに聴きやすくすることもできる。
【００３７】
図４〜図６において、図１〜図３に示した第１の実施形態と同一構成の部分には、同一番号を付して説明を省略する。
図４において、この実施形態では、各スピーカ２０−１〜ｎに拡声ユニット３０−１〜ｎが接続されている。各拡声ユニット３０−１〜ｎは、図１に示した拡声ユニット１０−１〜ｎのランダムノイズ発生部１３に代えて、マスク音声信号用のＦＩＲフィルタ３１およびフィルタ係数テーブル３２を設けている。そして、各拡声ユニット３０−１〜ｎには、マスク音声信号入力部４から、共通のマスク音声信号が入力される。フィルタ係数テーブル３２には、複数の目標点８に対応するＦＩＲフィルタ３１のフィルタ係数が記憶されている。
【００３８】
マスク音声信号は、各拡声ユニット３０−１〜ｎのＦＩＲフィルタ３１により、目標点８での音圧レベルが極小値となるようにフィルタリングされる。極小値とは、放音エリア７内で最小であることが好ましいが、拡声エリア７の隅の音の届きにくいところよりも小さい必要はなく、拡声エリア７の主要な部分で局所的に最小であればよいという趣旨である。
【００３９】
各拡声ユニット３０−１〜ｎのフィルタ係数テーブル３２には、マスク音声信号を上記のように制御するため、以下の計測方式で計測されたフィルタ係数が記憶される。
【００４０】
図５は、ＦＩＲフィルタ３１のフィルタ係数を計測するための構成を示す図である。また、図６は、測定時に設置されるエラーマイク６−１〜ｎの配置例を示す図である。
図６に示すように、スピーカ２０−１〜ｎを、図４の拡声装置を稼働させるときと同じ配置で設置する。そして、拡声エリア７にほぼ均等にエラーマイク６−１〜ｍを設置する。各拡声ユニット３０−１〜ｎにおいては、ＦＩＲフィルタ３１に代えてアクティブフィルタ３５を接続し、エラーマイク６−１〜ｍが収音した収音信号とマスク音声信号とに基づいて適応フィルタ３５のフィルタ係数を演算する演算部３４を設ける。すなわち、演算部３４とアクティブフィルタ３５で適応フィルタを構成する。演算部３４は、ＬＭＳ（Least Mean Square)アルゴリズムやＲＬＳ(Recursive Least Square)アルゴリズム等の適応アルゴリズムで前記エラーマイク６−１〜ｍのうち、目標点に設置されたマイクの収音レベルが極小値となり、他の点のマイクはある目標値（聞かせたい音量）になるようなフィルタ係数を演算する。
【００４１】
この状態でマスク音声信号入力部４からマスク音声信号を入力する。このときの目的音声信号は、フィルタ係数を決定するための音声信号であるため、一定時間持続する音声信号であればどのような音声信号でもよい。なお、この測定時には目的音声信号入力部２から音声信号を入力しないようにする。マスク音声信号の入力により、各スピーカ２０−１〜ｎから一定時間マスク音声が放音され、その音声が各エラーマイク６−１〜ｍで収音される。この収音された音声信号が、各収音ユニット３０−１〜ｎの演算部３４に入力される。各収音ユニット３０−１〜ｎの演算部３４は、その収音した音声信号とマスク音声信号入力部４から入力されたマスク音声信号とに基づき、ＬＭＳアルゴリズムやＲＬＳアルゴリズム等の適応アルゴリズムで演算を行い、エラーマイク６−１〜ｍのうち目標点に設置されたマイクの収音レベルが極小値となり、他の点のマイクはある目標値（聞かせたい音量）になるようなフィルタ係数を算出する。この、各拡声ユニット３０−１〜ｎの演算部３４で演算されたフィルタ係数が、そのときの目標点８に対応するマスク音声信号のフィルタ係数である。このフィルタ係数を各拡声ユニット３０−１〜ｎのフィルタ係数テーブル３２に登録する。
【００４２】
以上の処理を複数の目標点８について実行し、演算されたフィルタ係数をそのときの目標点８の位置と対応づけてフィルタ係数テーブル３２に登録しておく。なお、エラーマイク６−１〜ｍの位置を固定し、目標点８となるマイクを入れ換えることによって、複数の目標点に対する上記処理を実行してもよく、目標点毎に各エラーマイク６−１〜ｍを設置し直してもよい。また、目標点８となるマイクは１本でもよく複数本であってもよい。
【００４３】
これにより、図４の構成において、目標点指定情報入力部３から目標点指定情報が入力されたとき、その目標点指定情報に対応するフィルタ係数が、フィルタ係数テーブル３２から読み出されてＦＩＲフィルタ３１に設定される。これにより、目標点８におけるマスク音声の音圧レベルを極小にすることができる。
【００４４】
なお、この場合においても、目的音声に対するフィルタ係数については、その目標点指定情報に対応するフィルタ係数が、フィルタ係数テーブル１２から読み出されてＦＩＲフィルタ１１に設定される。これにより、目標点８における目的音声の音圧レベルを最大にすることができる。
【００４５】
この実施形態では、マスク音声信号として、たとえば波の音や川の音など快適な環境音を用いることができるため、拡声エリア７全体に常時マスク音声が流れていても不快になることがない。
【００４６】
なお、以上説明した第１，第２の実施形態では、拡声エリア７の音響条件の変化が大きくないことを前提に、稼働前にフィルタ係数を一度測定し、そのフィルタ係数をフィルタ係数テーブルに記憶しておく構成としたが、拡声エリア７の音響条件が変化する場合には、図３および図５に示した適応フィルタと適応演算を行う演算部を備えた構成で拡声装置を稼働させてもよい。
【００４７】
また、目標点８が何処であるか、すなわち目的音声を明瞭に聞き取らせたい利用者が何処にいるかを検出する方法はどのような方法を用いてもよい。たとえば、病院のロビー等の場合、患者が所持する診察券に無線タグを組み込んでおき、そのタグの位置を検出することで目標点を検出するようにしてもよい。
【図面の簡単な説明】
【００４８】
【図１】この発明の第１の実施形態である拡声装置のブロック図
【図２】同拡声装置のスピーカの設置形態の一例を示す図
【図３】同拡声装置のフィルタ係数の測定方法を説明する図
【図４】この発明の第２の実施形態である拡声装置のブロック図
【図５】同拡声装置のフィルタ係数の測定方法を説明する図
【図６】上記フィルタ係数の測定時におけるエラーマイクの設置形態の一例を示す図
【符号の説明】
【００４９】
１…拡声装置
２…目的音声信号入力部
３…目標点指定情報入力部
５…マイク
６（６−１〜ｍ）…エラーマイク
７…拡声エリア
８…目標点
１０（１０−１〜ｎ）…拡声ユニット
１１…ＦＩＲフィルタ
１２…フィルタ係数テーブル
１３…ランダムノイズ発生部
１４…加算器
１５…出力アンプ
１６…入力アンプ
１７…演算部
１８…適応フィルタ
２０（２０−１〜ｎ）…スピーカ
３０（３０−１〜ｎ）…拡声ユニット
３１…ＦＩＲフィルタ
３２…フィルタ係数テーブル
３４…演算部
３５…適応フィルタ
【図１】
2008245203.tif 000003
【図２】
2008245203.tif 000004
【図３】
2008245203.tif 000005
【図４】
2008245203.tif 000006
【図５】
2008245203.tif 000007
【図６】
2008245203.tif 000008